Podtech/llm-jp-corpus-v4-ja_patent huggingface dataset:
(57)【要約】【課題】ＡＭ放送受信用のループアンテナは基本的にアナログ回路であり、ラジオなど音響機器がアナログ回路システムの頃から、基本的デザインは変わっていない。各種ＡＶ機器がデジタルシステムに移行する過程で、音響機器も劇的な進歩を遂げ、デザインも一新した。この環境変化の中、旧式のアンテナは、現代的なシステムデザインに溶け込めない異質なメンバーとなっている。【解決手段】ＡＭループアンテナの基本構造をプリント基板技術により、薄型構造とすることで、フォトフレームなどに隠ぺいし、デジタル音響機器の近くに違和感なく設置できるようにする。【選択図】図１
2012244502.tif 000002
【特許請求の範囲】
【請求項１】
ＡＭ放送受信用のループアンテナにおいて、１．２ｍｍ厚以下のプリント配線基板の両面にループ配線を施し、かつ、配線密度を表裏で同等になる様に調節し、かつ、アンテナとしての機能を実現した物。
【発明の詳細な説明】
【技術分野】
【０００１】
AMラジオ放送受信用ループアンテナ形状と構造に関する技術。
【背景技術】
【０００２】
AM放送（振幅変調方式）の歴史は古いが、現在も広範囲に利用されている。利用はラジオ受信機によるが受信回路もデジタル化され、高性能の音響機器に搭載されている。しかしながら、AMアンテナは絶縁導線の巻線構造によるややレトロ調のループアンテナが、進化した音響機器用に使われているのが現状である。
【０００３】
これらの古いデザインのアンテナは、近代音響機器のデザインとは調和しない現実がある。またアンテナの基本仕様である放送波の補足と云う観点から、アンテナは出来るだけ高所に設置するのが望ましいが、同時にインテリア・デザインとの整合性も満たす必要がある。
【先行技術文献】
【特許文献】
【０００４】
【特許文献１】特許公開２００９−５１５５
【特許文献２】特許公開２００４−２６６４８２
【特許文献３】特許公開２００５−１２５８７
【特許文献４】特許公開２００８−４２７６１
【発明の概要】
【発明が解決しようとする課題】
【０００５】
AM放送を受信するにはアンテナを設置する必要がある。しかし、付属のアンテナはデザイン的に受け入れられない場合が多い。デザインが優れていて、室内の景観を阻害しないアンテナが望まれる。
【課題を解決するための手段】
【０００６】
従来のAMループアンテナと同じ電気的構造・特性を持ち、同時に小物家具（写真フレーム、絵画額縁など）に隠ぺいしやすい様に薄型構造を持たせる。
【発明の効果】
【０００７】
薄型扁平構造とすることで、フォトフレームなどの背面に隠ぺい出来る。音響機器、特にチューナーやプリメインアンプ周辺ではフォトフレームや美術作品の額縁などは調和を取り易い。
【０００８】
本発明のアンテナは卓上のフォトフレーム（２１）に隠ぺいされている。（２２）はフォトフレーム（２１）を斜め後ろから眺めた状態である。本発明のアンテナ本体（２３）はフォトフレーム（２２）の背面に粘着テープで取り付ける。アンテナ本体（２３）からはアンテナコード（２４）が出ていてコードの先は受信機のアンテナ端子に接続する。
【０００９】
アンテナ付きフォトフレーム（２１）、（２２）はアンテナの向きが合えば壁に取り付ける事も可能である。
【図面の簡単な説明】
【００１０】
【図１】本発明実施例の正面図、平面図、右側面図である。
【図２】本発明実施例を卓上の写真立ての裏に隠ぺいした状態
【図３】本発明実施例をスタンドを使って立てた状態
【発明を実施するための形態】
【００１１】
アンテナ本体（１１）はガラス繊維等で補強された樹脂基板を構造体として使用する。いわゆるプリント配線基板と同等である。形状はカタカナのロの字型で、角に引き出した配線コードを固定する為の突起（13）がある。基板の表と裏にはループアンテナを形成するための配線（12）がある。この配線は端子（13）を起点として、基板の表を枠に沿って反時計回りに内周に向かうらせん状に形成し、貫通端子（14）において、裏面に渡り、基板の裏面を、同様の反時計まわりで、ただし、外周に向かうらせん状に形成し、端子（13）の近くで、再度貫通端子で表面層に戻り、端子（１３）の対極に繋がる。
【００１２】
基板（11）の表と裏に同レベルの配線密度で、配線を施すことで、基板の反りに対する強度を向上させる。
【実施例】
【００１３】
図1は実施例の薄型AMループアンテナの外観図面である。
【００１４】
（２１）は一般的な卓上型写真立てである。実施例のアンテナはこの写真立ての裏に両面テープ等で張り付ける事が出来る。（２２）は同型の写真立ての向きを変えて示しており、（２３）は実施例のアンテナ本体、（２４）はアンテナから出てくるケーブルが見える。
【００１５】
（２２）の写真立ては額縁として、壁に掛ける事も出来る。
【００１６】
図3は写真立てや額縁が調達出来なかった場合の使用方法である。（３１）のアンテナ本体は（３２）のスタンドを使って立てる事が出来る。
【図１】
2012244502.tif 000003
【図２】
2012244502.tif 000004
【図３】
2012244502.tif 000005
(57)【要約】      （修正有）【課題】ワンスイッチでワンパルスを出力し、トランジスターへの接続も可能な信号を出力できる技術を提供する。【解決手段】コンデンサーの放電、または、充電が完了することで、電圧の変化が得られることを利用した技術であって、正極９に接続された抵抗１を、片方が負極８に接続されたコンデンサー２と片方が負極８に接続された通電のためのスイッチ３に、直列に接続する。さらに、この接続ノード７を、コンデンサー５とコンデンサー４に接続し、コンデンサー５の他方は負極８に接続し、コンデンサー４の他方は抵抗６を介して負極８に接続する。このコンデンサー４と抵抗６の接続ノードから信号を出力する構成を有する。【選択図】図１
2012244618.tif 000002
【特許請求の範囲】
【請求項１】
１．片方が正極（９）に繋がれた抵抗（１）を、２．片方が負極（８）に繋がれたコンデンサー（２）と片方が負極（８）に繋がれた通電の為のスイッチ（３）に、３．直列に繋ぎ、４．この繋がれたところから、５．繋いだ通電用の導線を、６．コンデンサー（４）とコンデンサー（５）に繋ぎ、７．繋がれたコンデンサー（５）の片方は負極（８）に接地され、８．繋がれたコンデンサー（４）の片方は、９．片方が負極（８）と繋がった抵抗（６）と繋がっている。１０．このような構造をしたコンデンサー（４）と抵抗（６）との間から信号を取り出す装置。
【請求項２】
１．片方が負極（８）に繋がれた抵抗（１）を、２．片方が正極（９）に繋がれたコンデンサー（２）と片方が正極（９）に繋がれた通電の為のスイッチ（３）に、３．直列に繋ぎ、４．この繋がれたところから、５．繋いだ通電用の導線を、６．コンデンサー（４）とコンデンサー（５）に繋ぎ、７．繋がれたコンデンサー（５）の片方は負極（８）に接地され、８．繋がれたコンデンサー（４）の片方は、９．片方が負極（８）と繋がった抵抗（６）と繋がっている。１０．このような構造をしたコンデンサー（４）と抵抗（６）との間から信号を取り出す装置。
【発明の詳細な説明】
【技術分野】
【０００１】  本発明は、電子電気機器を制御するための技術の一部に属する。
【背景技術】
【０００２】  従来は、実用新案登録（３０７９９２１号）の考案の名称「開閉を伴う物の開閉カウンター」の中心的な技術であるカウントする為に演算ＣＰＵへ演算を行うためのパルスを発生する装置などに使用されている。【０００３】  また、発振装置から一瞬のパルスを取り出す装置などがある。【０００４】  また、応用技術が多く、モータ制御装置（特許公開２００８−１３１７９６）やバルブ開閉機（実用新案登録３０４７００６号）がある。【０００５】  それらの技術は、一つのパルスを機械制御に使用するもので、本発明の重要性がうかがえる。【０００６】  また、これらの技術文献には、パルスの発生時間や、発生方法の具体的な記述が無く、たくさんのパルス幅の長いワンパルス発生装置を使って、制御をしている可能性もある。
【特許文献１】実用新案登録３０７９９２１号
【特許文献２】特許公開２００８−１３１７９６
【特許文献３】実用新案登録３０４７００６号
【特許文献４】特願２０１０−１３６５８２
【発明の開示】
【発明が解決しようとする課題】
【０００７】  本発明は、砲弾の起爆装置や、モーターの回転した数を数える為の装置、メモリーへの書き込み信号用の装置であるので、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発したパルス発生装置を使用しようとすると、パルスの幅が０．５秒から２．０秒と長く、また、特願２０１０−１３６５８２は単体では、０．２８ｍｓとパルス巾が長く、電力の出力も弱かった。【０００８】  そこで、さらに、開発を進めた結果、単体で抵抗（５）値を小さくすると５０μｓを得られ、トランジスターへの接続も可能になった。
【課題を解決するための手段】
【０００９】  本発明の達成には、実用新案登録（３０７９９２１号）の考案の名称「開閉を伴う物の開閉カウンター」の中心的な技術である、開閉をカウントする為に演算ＣＰＵへ演算を行うためのパルスを発生する装置で開発した、ワンパルス発生装置の延長線上に本発明があることを認識し、コンデンサーの放電、または、充電が完了することで、電圧の変化が得られることを利用した技術を利用し、その充電、または、放電が完了する僅かな時間を検出し、トランジスターへの接続を可能にすればいい。【００１０】  その為には、コンデンサー（２）を利用して電圧を変化させ、一旦、コンデンサーに充電させ、放電されると、かなり短いワンパルスが得られると、考えた。【００１１】  さらに、コンデンサー（２）がプラスの電荷を放電するか、マイナスの電荷を放電するかで、出力されるパルスの向きが正極か負極かに分かれ、負極の場合は、完全に負極になる。【００１２】  抵抗（５）値を低くしてやれば、その分、幅が狭くなり、短いパルスが得られる。
【発明の効果】
【００１３】  本発明は、ある状態では、ワンスイッチでパルス幅が５０μ秒を達成した。
【発明を実施するための最良の形態】
【００１４】  装置の出力側に、トランジスターを繋げば、かなりの出力のパルスが得られる。
【実施例】
【００１５】  図１、図２、は、発明の全体図である。
【産業上の利用可能性】
【００１６】  本発明は、ひとつの信号に対して、ひとつのパルス幅を発生する発明であり、その時間が、使用する装置において適切ならば、処理用の信号発生装置としての利用価値があり、かなりの出力がえられる。
【図面の簡単な説明】
【００１７】
【図１】  発明の全体図。
【符号の説明】
【００１８】１．抵抗
２．コンデンサー
３．スイッチ
４．コンデンサー
５．コンデンサー
６．抵抗
７．接続点
８．負極
９．正極
【図１】
2012244618.tif 000003
【図２】
2012244618.tif 000004
【手続補正書】
【提出日】平成23年6月25日(2011.6.25)
【手続補正１】
【補正対象書類名】明細書
【補正対象項目名】００１７
【補正方法】変更
【補正の内容】
【００１７】
【図１】請求項１の発明の全体図。
【図２】請求項２の発明の一部の図で、通電の為のスイッチの回路の部分。
(57)【要約】【課題】１台の機関を駆動し２つの電機子巻線をもつ交流発電機より２種類の電源を出力することができる発電装置において、一方の電源に過電圧故障が発生した場合、前記機関を停止せず他方の電源供給を継続することができる発電装置保護装置を提供する。【解決手段】上記の発電装置において、過電圧故障が発生した電源の励磁回路の電源を開放することで、発電を中止し過電圧状態を解消できるため、機関を停止する必要がなく、他方の電源供給を継続することが可能となる。【選択図】図１
2012244830.tif 000002
【特許請求の範囲】
【請求項１】
１台の機関を駆動し２つの電機子巻線をもつ交流発電機より２種類の電源を出力することができる発電装置において、一方の電源に過電圧故障が発生した場合、前記機関の停止を行わず過電圧故障が発生した系統の出力遮断器を開放すると共に過電圧故障が発生した系統の励磁回路の電源を開放することで過電圧状態を解消し、他方の電源供給を継続することを特徴とする発電装置保護装置。
【発明の詳細な説明】
【技術分野】
【０００１】
本発明は、１台の機関を駆勤し２つの電機子巻線をもつ交流発電機より２種類の電源を出力することができる発電装置（以降「タンデム発電装置」と呼ぶ）において、一方の出力電源に電気故障が生じても、安全に他方の出力電源が負荷への給電を継続出来る発電装置保護装置に関する。
【背景技術】
【０００２】
近年、ＯＡ機器等の増加により、動力用３相電源の他、単相電源の必要性が高くなっている。非常用電源として単相電源を得るための手段は、単相発電装置を用いる方法や、スコット変圧器により３相電源より単相電源を得る方法があるが、タンデム発電装置は、機関が１台で良いこと、変圧器等の他の装置が必要ないことなど、省スペースが図れ、比較的安価に入手することが出来る。
【０００３】
タンデム発電装置は２種類の電源で機関を共用しているため、一方の発電機出力に故障が発生した場合、機関を停止すると他方の健全な電源の給電も停止することとなる。
【先行技術文献】
【特許文献】
【０００４】
【特許文献１】特開昭５８−０２２５２６号公報
【非特許文献】
【０００５】
【非特許文献１】国上交通省大臣官房宮庁営繕部監修、「公共建築工事標準仕様書（電気設備工事編）」、平成２２年５月２１日発行、ｐ.２３１〜２３２
【発明の概要】
【発明が解決しようとする課題】
【０００６】
電気故障の内、過電圧故障については一般的に故障した電源の遮断器を開放すると共に、高い電圧により遮断器の１次側に接続されている発電装置内の機器の破損を防ぐため、機関の停止まで行っている。このため、一方の電源で過電圧故障が発生すると、健全な他方の電源の給電も停止しなければならない問題があった。
【課題を解決するための手段】
【０００７】
上記課題を解決するために、本発明は、一方の電源で過電圧故障が発生した場合、故障が発生した電源の励磁回路の電源を開放することで、発電を中止し過電圧状態を解消することにより、機関の停止をおこなわず健全な他方の電源供給を継続することを特徴とする。
【０００８】
請求項１の発明によれば、１台の機関を駆動し２つの電機子巻線をもつ交流発電機より２種類の電源を出力することができる発電装置において、一方の電源に過電圧故障が発生した場合、前記機関の停止を行わず過電圧故障が発生した系統の出力遮断器を開放すると共に過電圧故障が発生した系統の励磁回路の電源を開放することで過電圧状態を解消し、他方の電源供給を継続することを特徴とする発電装置保護装置。
【発明の効果】
【０００９】
本発明による発電装置保護装置では、過電圧故障が発生しても励磁回路の電源を開放することで過重圧状態を解消できるので、機関を停止する必要が無く、健全な電源の給電を継続することができるという効果がある。
【図面の簡単な説明】
【００１０】
【図１】本発明の実施方法を示した説明図である。（実施例１）
【発明を実施するための形態】
【００１１】
一方の電源の過電圧故障で他の電源の給電を中断させないという目的を、故障が発生した電源の励磁回路の電源を開放することで過電圧状態を解消し、機関を停止させないことで実現した。
【実施例１】
【００１２】
図１は、本発明装置の実施例１の説明図である。機関１と第１出力用界磁巻線２、第１出力用電機子巻線３、第２出力用電機子巻線９及び第２出力用界磁巻線１０が機械的に接続されている。
【００１３】
第１出力は、第１出力用励磁電源開閉器６を介し第１出力用自動電圧調整器５により第１出力用電圧設定器４で調整された界磁電流が第１出力用界磁巻線２へ供給されることで、第１出力用電機子巻線３より発生する。
【００１４】
第１出力の電圧があるレベル以上に高くなると、第１出力用電圧検出器７で異常検知し、第１出力用出力遮断器８を開放するとともに、第１出力用励磁電源開閉器６を開放する。このことにより、第１出力用自動電圧調整器５の電源が遮断され、発電が中止し第１出力の電圧が異常に高い状態が解消されるため機関１を停止しなくとも第１出力は安全な状態となる。
【００１５】
第２出力は、第１出力と同様であるため説明は省略する。
【産業上の利用可能性】
【００１６】
本発明により、１台の機関を駆動し２種類電源を出力できる発電装置において、一方の電源に過電圧故障が発生しても、他の電源の給電を継続することが可能となる。非常用発電装置では、一般的に電気故障で、過電圧故障が機関停止の原因となるため、電気故障時においても、健全な電源の給電継続が可能となる。
【符号の説明】
【００１７】
１    機関
２    第１出力用励磁巻線
３    第１出力用電機子巻線
４    第１出力用電圧設定器
５    第１出力用自動電圧調整器
６    第１出力用励磁電源開閉器
７    第１出力用電圧検出器
８    第１出力用出力遮断器
９    第２出力用電機子巻線
１０  第２出力用励磁巻線
１１  第２出力用電圧設定器
１２  第２出力用自動電圧調整器
１３  第２出力用励磁電源開閉器
１４  第２出力用電圧検出器
１５  第２出力用出力遮断器
【図１】
2012244830.tif 000003
(57)【要約】      （修正有）【課題】ペット小屋の上に、作業や小物置きの出来る平らな作業スペ−スを設けて、スペ−スの減少などの利便性を提供する。【解決手段】一部、床と平行な平らな作業スペースを屋根に取り付けることで、ペット小屋の上でペットをおとなしくさせる事が出来、お手入れが容易に出来たりする。ペットのおもちゃなど、小物も置くことが可能。従来の作業台の作業スペースや収納スペースが減少する。【選択図】なし【特許請求の範囲】
【請求項１】
ペット小屋の平らな屋根にペットを乗せることによって、ペットがおとなしくなるので、ブラッシングや耳掃除をしやすくするペット小屋。
【発明の詳細な説明】
【技術分野】
【０００１】  本発明は、作業台を備えたペット小屋に関する。
2012244988.tif 000002
2012244988.tif 000003
【手続補正書】
【提出日】平成23年9月4日(2011.9.4)
【手続補正１】
【補正対象書類名】明細書
【補正対象項目名】全文
【補正方法】変更
【補正の内容】
【発明の詳細な説明】
【技術分野】
【０００１】本発明は、作業台を備えたペット小屋に関する。
【図面の簡単な説明】
【０００２】
【図１】本発明を正面から見た図
【図２】本発明を側面から見て斜めになった屋根部分の可動図
【図３】本発明を上面から見た図
【符号の説明】
【０００３】１  作業台となる可動屋根
２  丁番
３  屋根ずれ防止サン
４  木製格子戸（唐木使用）
５  カギなめ防止サン
６  打掛錠
７  ポリフラッシュ合板
８  ペットのおもちゃ（噛んで遊ぶロープ）
９  コンセント取り出し口
【手続補正２】
【補正対象書類名】図面
【補正対象項目名】全図
【補正方法】変更
【補正の内容】
【図１】
2012244988.tif 000004
【図２】
2012244988.tif 000005
【図３】
2012244988.tif 000006
(57)【要約】      （修正有）【課題】パプリカ及びピーマンの、生鮮冷凍保管後、解凍しても保管前の生鮮状態を有する、冷凍保管技術を提供する。【解決手段】パプリカ、ピーマンの凍結温度を左右するソルビトールの調整、また果肉の軟弱に関係するペクチンを、非金属イオンを有する乳酸カルシウムと共に添加し凍結保管後の果肉の生鮮度の復元を図る。【選択図】図１
2012244987.tif 000002
【特許請求の範囲】
【請求項１】
果采類のパプリカ、ピーマンを冷凍、凍結し長時間経過後  解凍常温に戻しても冷凍焼け、細胞破壊を起こさず凍結前の生に近い状態を保有する保管方法とその製品。
【発明の詳細な説明】
【技術分野】
【０００１】  本発明は、果采類の中のパプリカ及びピーマンの長期凍結保管に関するものであり凍結保管の後、解凍した物が保管前の生の状態で消費者に提供できる技術としたものである。
【背景技術】
【０００２】  農産物の中で特に野菜類、果采類の市場への出荷に際して現状は虫食いもの又傷ものにおいては漬物加工が出来る一部の物を除いて大半が廃棄されているのが現状である。その中でパプリカ、ピーマンなどは材料として使用される場合、肉詰め等、詰め物料理以外は大半がピール状（細切りした物）にして材料として使われているが、いずれも収穫後の生の物を使用しているのが現状で凍結保管しても冷凍焼け（凍傷）のため、使用できず一般的には常温保管又は冷蔵保管されても、一定期間過ぎれば使用できず廃棄されているのが現状である。
【発明の開示】
【発明が解決しようとする課題】
【０００３】  本発明は現在なされていない、パプリカ、及びピーマンを凍結保管後、解凍して生の料理材料として使用出来る、凍結保管方法を開発する事を課題とする。
【課題を解決するための手段】
【０００４】  この課題を解決する請求項１の発明はパプリカ、及びピーマンを凍結保管後、解凍して生の状態で使用できる様にするため、凍結による細胞劣化を抑止するため、果采類の凍結温度を左右するソルビトールの調整、又ペクチンと非金属イオンの調整によって解決する事とした。【０００５】  本発明により従来、傷もの  虫食い物とされ廃棄されていた物が、損傷部分を取り除き、裁断ピール状にしてレストラン、惣菜業界、一般家庭の消費者へ商品として供給できる。
【発明を実施するための最良の形態】
【０００６】  通常パプリカやピーマンを完全凍結しその後解凍すると、一般の調理材料としては使用できないほど軟化してしまう。これは通常、冷凍焼けと云われるが凍結によって細胞破壊が全体に起こった為である。
この細胞破壊を発生しにくくする為、果采類に微量に含まれるペクチンの含有量を上げると共に果采類の凍結温度を左右するソルビトールの含有量も上げる試作を行った。ソルビトールの含有量を上げる工程の中でペクチンの細胞粘結を高めるため非金属イオンを作用させる事とし、乳酸カルシウム剤を併用した。【０００７】  幾たびかの工程試作の結果、以下の工程試作で良好な結果を得る事が出来た。
先ずパプリカ、ピーマンを５ミリ幅に裁断しピール（千切り状）にし、洗浄後、遠心分離脱水機で水切りをして５％のペクチンの水溶液に１２時間浸漬を行った後、水切り（液切り）をして下記の配合水溶液の中に２４時間浸漬をした。
2012244987.tif 000003
上記の量を２組用意し、裁断しピール状にしたパプリカ、ピーマンを其々上記、配合液の３倍量を浸漬し２４時間後、網状のトレーに移し、工業用扇風機にて風を当てながら表面の水分除去をおこなった後、急速凍結庫で凍結をした後、通常の冷凍庫でマイナス２５℃の保管をした。【０００８】  冷凍庫でマイナス２５℃の保管を２４０時間経過後、冷蔵庫へ移し冷蔵庫内温度１０℃〜１２℃で緩慢解凍を行って結果を確認した所、処理以前  裁断時と殆ど変らず調理時に生、として使用出来る品質であった。
同様の処理、保管を５回行ったが何れも処理以前、裁断時と殆ど変らぬ結果を得る事が出来た。
この結果からパプリカ及びピーマンに関しては、凍結  冷凍保管後、解凍使用に際して凍結保管前の鮮度に近い状態を得る事が確実となった。
【産業上の利用可能性】
【０００９】      本発明に係る、前処理を行った冷凍保管技術は商業的に応用する事が可能でありパプリカ、ピーマンの生産者の収益向上のみならず一般消費者またレストラン等のユーザーにとっても商業上の利用可能性を有する。
【図面の簡単な説明】
【００１０】
【図１】  図は本発明の処理工程を表したものである。
【図１】
2012244987.tif 000004
(57)【要約】【課題】  骨まで柔らかくできる鯛の調理方法において、鯛本来の赤みを残しながら美味しく味付けし、身崩れも防止する。【解決手段】  内臓を取り除いた骨付きの鯛の表面に小麦粉を衣付けして空揚げし、その空揚げした鯛を薄めの食酢とともに圧力鍋に入れて加圧加熱し、その加圧加熱した鯛を予め加熱しておいた醤油を含む食酢に熱い内に漬け込む。以上の調理方法により、鯛はウロコ・トゲ・頭・中骨まで柔らかくなり、鯛石以外は全て食べることができるようになる。しかも、薄めの食酢と熱い食酢（この時に醤油を使用する）に段階的に漬け込むことで味が中まで浸透し、変色することなく美味しく味付けされ、鯛本来の赤みを十分に残すことができる。また、油を使用することでさらに美味しくなり、衣で覆われることで身崩れも防止できる。【選択図】  図１
2012244938.tif 000002
【特許請求の範囲】
【請求項１】
内臓を取り除いた骨付きの鯛の表面に小麦粉を衣付けして空揚げし、その空揚げした鯛を薄めの食酢とともに圧力鍋に入れて加圧加熱し、その加圧加熱した鯛を予め加熱しておいた醤油を含む食酢に熱い内に漬け込むことを特徴とする、鯛の調理方法。
【発明の詳細な説明】
【技術分野】
【０００１】
本発明は、骨まで柔らかくできる鯛の調理方法に関する。
【背景技術】
【０００２】
従来、骨まで柔らかくできる鯛の調理方法が特許文献１に開示されている。この技術は、クエン酸とリンゴ酸を０．５〜１．５重量％加えた醤油に鯛を入れ、９０〜９６℃で６０〜３６０分間加熱することを特徴としている。これにより、固い骨まで柔らかくなり、骨ごと食べることができる、というものである。
【０００３】
ところで、前記技術では、加熱時に調味液として醤油を使用するから、鯛本来の赤みが消えて黒くなり、商品価値が落ちるという問題があった。また、鯛は淡白な魚であるから、油を使用しない調理方法では美味しさが不十分となりやすかった。さらに、長時間の加熱によって身崩れしやすくなるという問題もあった。
【先行技術文献】
【特許文献】
【０００４】
【特許文献１】特開２００５−３１８８０５号公報
【発明の概要】
【発明が解決しようとする課題】
【０００５】
本発明が解決しようとする課題は、従来のこれらの問題点を解消し、骨まで柔らかくできる鯛の調理方法において、鯛本来の赤みを残しながら美味しく味付けし、身崩れも防止することにある。
【課題を解決するための手段】
【０００６】
かかる課題を解決した本発明の構成は、
１）  内臓を取り除いた骨付きの鯛の表面に小麦粉を衣付けして空揚げし、その空揚げした鯛を薄めの食酢とともに圧力鍋に入れて加圧加熱し、その加圧加熱した鯛を予め加熱しておいた醤油を含む食酢に熱い内に漬け込むことを特徴とする、鯛の調理方法
にある。
【発明の効果】
【０００７】
本発明によれば、薄めの食酢を用いた加圧加熱処理でウロコ・トゲ・頭・中骨まで柔らかくなる。さらに薄めの食酢と熱い食酢（この時に初めて醤油を使用する）に段階的に漬け込むことで味が中まで浸透する。よって、変色することなく美味しく味付けされ、鯛本来の赤みを残すことができる。また、油を使用することでさらに美味しくなり、衣で覆われることで身崩れも防止できる。
【図面の簡単な説明】
【０００８】
【図１】実施例の鯛の調理方法を示す工程図である。
【発明を実施するための形態】
【０００９】
本発明の空揚げ時の油温は、一般的には１７０〜１７５℃が適温であるが、５００〜６００ｇのレンコ鯛の場合ではやや低温の１６０℃が望ましい。大きい鯛では弱い低温でないと中まで熱が十分に入らず、高温にすると表面が茶色に焦げてくる問題がある。空揚げ後の衣は半分程度に薄くなるから、身崩れを防止しながら鯛本来の赤みを残すことができる。
【００１０】
圧力鍋に入れる薄めの食酢は、食べ頃の食酢の約半分位の味（４０〜６０％濃度）が実用的である。加圧加熱の時間は鯛の種類や大きさにもよるが、レンコ鯛の場合では３００ｇ以下で１時間３０分ほど、５００〜６００ｇでは２時間ほど必要である。
【００１１】
以下、本発明を実施するための形態を実施例と図面に基づいて具体的に説明する。
【実施例】
【００１２】
ａ）５００〜６００ｇの生の天然レンコ鯛からオサ（エラの部分）とわたを取り除く。ウロコ・トゲ・頭・中骨はそのままにする。
ｂ）その天然レンコ鯛の表面に小麦粉を適量まぶして衣付けする。
ｃ）その天然レンコ鯛を１６０℃の白絞油（食用大豆油）に入れ、２０分程空揚げする。
ｄ）食べ頃の美味酢（米酢を主に味を加減した味のやさしい合わせ酢）を５０％濃度に調整した薄めの美味酢と前記空揚げした天然レンコ鯛を圧力鍋に入れ、２時間加圧加熱する。
ｅ）予め食べ頃の美味酢を加熱して用意しておく（この時は醤油を使用する）。
ｆ）加圧加熱した天然レンコ鯛を圧力鍋から取り出し、その熱い内に前記加熱しておいた食べ頃の美味酢に漬け込む。
【００１３】
以上の調理方法により、天然レンコ鯛はウロコ・トゲ・頭・中骨まで柔らかくなり、鯛石以外は全て食べることができるようになる。しかも、薄めの食酢と熱い食酢に段階的に漬け込むことで味が中まで浸透し、熱い二度目の美味酢の時に醤油を使用することで美味しく味付けされ、鯛本来の赤みを十分に残すことができる。また、油を使用することでさらに美味しくなり、衣で覆われることで身崩れも防止できる。また、美味酢によって薄い酸味となり、健康に良く、食欲増進につながるものとなる。
【産業上の利用可能性】
【００１４】
本発明の技術は、鯛だけでなく、他の魚の調理にも応用できる。
【図１】
2012244938.tif 000003
(57)【要約】【課題】水密コンパウンド同士のブロッキングを防止でき、しかも長尺化が可能で、作業性も良好なケーブル用水密コンパウンドを提供すること。【解決手段】水密コンパウンドを押出機で紐状に押し出しながら、その紐状の水密コンパウンドをフィルムで包み込み、水密コンパウンド同士がブロッキングしないようにして、長尺に巻けるようにするとともに、前記フィルムとしてケーブルに充填される時の温度以下で溶融するフィルムを使用することで、フィルムを水密コンパウンドから剥がすことなく、同時に充填できるようにした。【選択図】なし【特許請求の範囲】
【請求項１】
押出機で紐状に押し出した水密コンパウンドを、融点が１５０℃以下、かつ厚さが５０μｍ以下のフィルムで包み込んでなるケーブル用水密コンパウンド。
【発明の詳細な説明】
【技術分野】
【０００１】
本発明は、ケーブル内への水の浸入を防止する目的で使用されるケーブル用水密コンパウンドに関する。
【背景技術】
【０００２】
一般的に、ケーブルに充填される水密コンパウンドは、熱可塑性のポリマーに可塑剤を添加して、充填時に容易に流動するよう設計されており（例えば特許文献１，２）、ペール缶に充填して供給されたり、剥離紙に挟んでテープ状で供給される。
【０００３】
しかしながら、ペール缶に充填された水密コンパウンドは、取出し難く作業性が悪い。また、剥離紙で挟んでテープ状にしたものも、輸送中に変形し、水密コンパウンドが剥離紙からはみ出して融着し、水密コンパウンド同士のブロッキングが生じるという問題がある。また、剥離紙で挟んだ状態では長尺にできず、さらに、ケーブルに充填する際、剥離紙を剥がす必要があり、手間が掛かって作業性が悪い。
【先行技術文献】
【特許文献】
【０００４】
【特許文献１】特開平６−３２５６２６号公報
【特許文献２】特開２００８−１０２３２０号公報
【発明の概要】
【発明が解決しようとする課題】
【０００５】
本発明が解決しようとする課題は、水密コンパウンド同士のブロッキングを防止でき、しかも長尺化が可能で、作業性も良好なケーブル用水密コンパウンドを提供することにある。
【課題を解決するための手段】
【０００６】
本発明は、水密コンパウンドを押出機で紐状に押し出しながら、その紐状の水密コンパウンドをフィルムで連続的に包み込み、水密コンパウンド同士がブロッキングしないようにして、長尺に巻けるようにするとともに、前記フィルムとしてケーブルに充填される時の温度以下で溶融するフィルムを使用することで、フィルムを水密コンパウンドから剥がすことなく、充填できるようにしたものである。
【０００７】
すなわち、本発明のケーブル用水密コンパウンドは、押出機で紐状に押し出した水密コンパウンドを、融点が１５０℃以下、かつ厚さが５０μｍ以下のフィルムで包み込んだものである。
【発明の効果】
【０００８】
紐状の水密コンパウンドを薄いフィルムで包み込んだことで、輸送中に水密コンパウンドがはみ出し融着して水密コンパウンド同士のブロッキングが生じるようなことがなく、容易に水密コンパウンドを取り出すことができるとともに、連続して巻き取ることができるので長尺化が可能である。また、剥離紙を使用した場合のようにフィルムを水密コンパウンドから剥がす必要がないことから、水密コンパウンドをケーブルへ充填する際の作業性を大幅に向上させることができる。
【発明を実施するための形態】
【０００９】
本発明のケーブル用水密コンパウンドは、水密コンパウンドを押出機で紐状に押し出しながら、その紐状の水密コンパウンドを、融点が１５０℃以下で、厚さが５０μｍ以下のフィルムで連続的に包み込むことで得られる。フィルムによる水密コンパウンドの包み込みは、紐状の水密コンパウンドにフィルムを連続的に巻きつける、あるいは紐状の水密コンパウンドをフィルムで長さ方向に連続的に包むことによって行うことができる。
【００１０】
フィルムの融点を１５０℃以下としたのは、水密コンパウンドがケーブルに充填される時の温度が１５０℃程度であることから、融点が１５０℃以下であれば、ケーブルに充填される時に、使用したフィルムが溶融して水密コンパウンド中に均一に分散されるからである。また、フィルムの厚さを５０μｍ以下としたのは、５０μｍより厚くなると、フィルムで包み込まれた水密コンパウンドが全体として硬くなり、巻き取り難くなるからである。
【００１１】
使用されるフィルムの材質としては、ポリエチレン、エチレン・アクリル酸エチル共重合体、エチレン・酢酸ビニル共重合体、エチレン・アクリル酸共重合体、ポリ塩化ビニル、ポリ塩化ビニリデン、ポリエステル、ポリ１，２ブタジエン等が挙げられる。
【実施例】
【００１２】
以下に、本発明の実施例及び比較例を示す。
【００１３】
［実施例１］
ブチルゴムと可塑剤及び充填剤等からなる、針入度３５の水密コンパウンドを、押出機で１６ｍｍφの円形の紐状に押し出しながら、その紐状の水密コンパウンドに厚さ２５μｍ、幅６０ｍｍのポリエチレンフィルム（融点１２０℃）を連続的に巻きつけ、巻き芯が１００ｍｍφ、幅が３００ｍｍ、つばの外径が５００ｍｍのボビンに、２００ｍ巻き取った。これを、トラック便にて、佐賀と東京を１往復させて、水密コンパウンドの変形や、巻き解きが可能かを調査した。
【００１４】
［実施例２］
実施例１と同様に押出機で水密コンパウンドを紐状に押し出しながら、その紐状の水密コンパウンドを厚さ２５μｍ、幅６０ｍｍのエチレン・アクリル酸エチル共重合フィルム（融点１０５℃）で長さ方向に連続的に包み、タテ・ヨコ・高さ共１ｍのパレット付ケースに連続して５００ｍをらせん状に巻き取った。これを、トラック便にて、佐賀と東京を１往復させて、水密コンパウンドの変形や、巻き解きが可能かを調査した。
【００１５】
［比較例１］
実施例と同じ水密コンパウンドを、押出機で厚さ５ｍｍ、幅４０ｍｍのテープ状に押し出しながら、厚さ１００μｍ、幅６０ｍｍの剥離紙の上に載せてレコード状に巻き取った（長さ２５ｍ）。これの２巻を重ねてダンボールケースに梱包し、実施例１と同様の運送テストを行い、変形や巻き解き性を調査した。
【００１６】
調査結果を表１に記す。
【表１】
2012009173.tif 000002
【００１７】
表１に示すとおり、本発明の実施例では、コンパウンド同士のブロッキングは生じず、長尺化が可能であった。これに対し比較例１では、コンパウンド同士のブロッキングが生じた。
(57)【要約】【課題】従来のライトを手で持てば、その手は他に使えなくなるのは当然だがそういう点でいえば不便であり、特に災害、緊急時などでは両手を使いたい、手が塞がっていては困るという状況になりかねない。また持ち損ねや滑ったりと誤って落として破損や故障、紛失のおそれもあるので、ライト本体にバンドを設けたバンド付きライトを提供する。【解決手段】ライト本体に、主に手首のあたりに装着できるようにするためのバンドを設ける。また、このバンドをライト本体の複数の箇所に設けたことにより、手で持たなくても、または手で持っても使用できることを特徴とする。【選択図】図１
2012009403.tif 000002
【特許請求の範囲】
【請求項１】
ライト本体に、主に手首のあたりに装着できるようにするためのバンドを設け、手で持たなくても、または手で持っても使用できることを特徴とする、バンド付きライト。
【請求項２】
請求項１記載のバンド付きライトにおいて、バンドをライト本体の複数の箇所に設けたことを特徴とする、請求項１記載のバンド付きライト。
【発明の詳細な説明】
【技術分野】
【０００１】  本発明は、ライトにバンドを設けたバンド付きライトに関するものである。
【背景技術】
【０００２】  従来のライトには、手首のあたりなどに装着するためのバンドがライト本体に設けてあるようなものはなかった。
【発明の概要】
【発明が解決しようとする課題】
【０００３】  従来のライトを手で持てば、その手は他に使えなくなるのは当然であるが、そういう点でいえば不便であって、特に災害、緊急時などにおいては両手を使いたい、手が塞がっていては困る、という状況になりかねない。
また、手で持つとなると、持ち損ねや滑ったりと誤って落としてしまうということも免れず、かといってヘッドライトでは、これを一般的なハンディタイプのライトとして使おうとすれば使えなくはないが、使いやすいとはいい難い。
本発明は、このような課題を解決するためになされたものである。
【課題を解決するための手段】
【０００４】  上記課題を解決するための、請求項１記載の本発明は、ライト本体に、主に手首のあたりに装着できるようにするためのバンドを設け、手で持たなくても、または手で持っても使用できることを特徴とするバンド付きライトである。【０００５】  請求項２記載の本発明は、請求項１記載のバンド付きライトにおいて、バンドをライト本体の複数の箇所に設けたことを特徴とする。
【発明の効果】
【０００６】  バンドを手首のあたりに装着することで、ライトを手で持たなくても手で持つのと同様に使用することができ、しかもその手が他に自由に使える。
長時間の使用でも手（手の平）は比較的疲れることはなく、落としたりすることもないし、落としたせいでの破損や故障、また紛失することもなく、それにそういった心配がいらなくなる。
バンドをライト本体に巻き付けてもよくて、普通にハンディタイプのライトとして問題なく使うことができる。
【図面の簡単な説明】
【０００７】
【図１】本発明の斜視図。
【発明を実施するための形態】
【０００８】  以下、本発明の実施の形態について、実施の例として図面を参照して説明するが、本発明はこれに限定されるものではない。
【０００９】  まず、ライト本体１の材質、形状であるが、特に限定されることはなく、円柱でも角柱のような形状でもよいし、既製品に見受けられる様々な形状でもよいと考える。
【００１０】  次に図１を参照して一例として説明するが、スイッチ３（プッシュボタン式など）がライト部２の後方に位置するのであれば、バンド４はスイッチ３の付近に設けるのが好適であるが、その位置は特に限定されず、ライト本体１の全体の長さを考慮することが必要である。
【００１１】  バンド４の材質は、合成ゴムや合成繊維や革などが好適であるが特に限定はされない。またこれは腕時計用のバンドを参考にするのがよいと考え、図示したようなものでもよいのだが、特に限定はされず、どのような種類のものであってもよいと考える。
【００１２】  ライト本体１とバンド４は、それらの材質によってであるが、それらが接着可能となる種類（成分）の強力な接着剤を使用して、ライト本体１の上面にバンド４を被せるようにして固着させるのが一つの方法であると考える。
【００１３】  バンド４であるが、これはライト本体１の複数の箇所、二箇所以上に設けてもよくて、図１に示すような位置とそれにもう一箇所、例えばであるが後部５、最後部がキャップであればその少し前に設けるのがよいと考えるが、特に限定はされず、この場合もやはりライト本体１の全体の長さを考慮して決めることが必要である。
【００１４】  さて、使用例を説明するが、これは腕時計とだいたい同じ要領でよいのだが、ライト部２を手の甲とか手首のあたりに置くようにしてバンド４を締めて装着すればよく、ただここで重要なのが、ずれたりなどしないよう、長さを調節してきつめに締めるのが好適である。これで手で持たなくても手で持つのと同様に使うことができる。尚この装着は、衣服の上からでも十分可能であると考える。
また、バンド４をライト本体１に巻き付けてもよくて、バンド４を設けてない部分を手で持ちハンディタイプのライトとして問題なく使うことができる。
【００１５】  以上、本発明の実施の形態について説明したが、実施の例であって、本発明は上述した実施の形態に限定されるものではない。本発明の要旨を逸脱しない範囲で様々な変更や改良や応用などが可能であり、それらはいずれも本発明の範囲に含まれる。
なお、本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。
【符号の説明】
【００１６】１    ライト本体
２    ライト部
３    スイッチ（プッシュボタン式など）
４    バンド
５    後部
【図１】
2012009403.tif 000003
(57)【要約】【課題】  本発明は、スチールボード等に掲示物を貼付するとき、コーナーに吸着させ効果的に活字や文字を隠すことなく、掲示物がたるみなく額縁のように見映えよくしっかり固定する直角三角形型コーナーマグネットクリアを提供する。【解決手段】  直角三角形型本体に、マグネットを設け、掲示物のコーナーに吸着させることにより、より効果的に固定し、内容面を隠すことなく、見映えを引き立たせることを特徴とする直角三角形型コーナーマグネットクリア。【選択図】図１
2012014134.tif 000002
【特許請求の範囲】
【請求項１】
直角三角形型本体に、マグネットを設け、掲示物のコーナーに吸着させることにより、より効果的に固定し、内容面を隠すことなく、見映えを引き立たせることを特徴とする直角三角形型コーナーマグネットクリア。
【発明の詳細な説明】
【技術分野】
【０００１】  本発明は、スチールボード等に掲示物を貼付するとき、コーナーに吸着させ効果的に活字や文字を隠すことなく、掲示物がたるみなく額縁のように見映えよくしっかり固定できるように工夫した、直角三角形型コーナーマグネットクリアに関するものである。
【背景技術】
【０００２】  従来、マグネットクリアには、種々の形状、状態があった。
掲示物を部分的に固定したり、大きな掲示物を固定するには、複数のクリアが必要であった。
【発明の概要】
【発明が解決しようとする課題】
【０００３】  そのために、次のような問題点がある。
（イ）掲示物が大きくなるにしたがい、複数のクリアを必要とし、しかもバラバラに吸着    させるため見映えが悪かった。
（ロ）掲示物のコーナーがだらしなく内側に垂れ下がったり、丸まったりして内容面をふ    さいでしまっていた。
本発明は以上の問題点を解決するものである。
【課題を解決するための手段】
【０００４】  直角三角形型本体に、マグネットを設け掲示物のコーナーに吸着させることにより、より効果的に固定し、内容面を隠すことなく見映えを引き立たせることを特徴とする直角三角形型コーナーマグネットクリアである。
【発明の効果】
【０００５】  本発明は、掲示物をスチールボード等に表示するとき、大きな掲示物ほど、コーナーからコーナーへ吸着することにより効果的におさまり、したがって最小限のクリアで済み、掲示物を最良、最高に際立って引き立てる。
【図面の簡単な説明】
【０００６】
【図１】  本発明の斜視図である。
【図２】  本発明の断面図である。
【図３】  本発明の使用状態を示した斜視図である。
【発明を実施するための形態】
【０００７】  以下、本発明の実施の形態について説明する。
（イ）直角三角形型本体（１）の底部に、マグネット（２）を設ける。
本発明は以上のような構造よりなっている。
本発明の使い方を説明する。
（イ）上記の直角三角形型マグネットクリアを、スチールボード（４）、冷蔵庫、ホワイ    トボード等に掲示物（３）を貼付し、直角三角形型本体（１）を摘み、各コーナーに    マグネット（２）を吸着させ、これによりしっかり固定する。
（ロ）直角三角形型本体（１）は、プラスチック、木製、紙質等にて、彫刻型、透明、絵    柄、色彩等をほどこすことができる。
（ハ）本発明をスチールボード（４）等に保留するとき、本発明品の形状が直角三角形な    のでいろいろな組合せにすることにより、おもしろい形態を形成することができる。
これにより、スチールボード（４）を飾り、見た目を楽しめる。
【符号の説明】
【０００８】  １  直角三角形型本体
２  マグネット
３  掲示物
４  スチールボード
【図１】
2012014134.tif 000003
【図２】
2012014134.tif 000004
【図３】
2012014134.tif 000005
(57)【要約】【課題】          青信号が黄色信号に変わる際の判断が、信号機の種類や設置場所により判断しづらく、止まるか渡りきるかの判断を各々のドライバーが瞬時に行わなければならず、交通事故の原因にもなっているこのような危険を解決すること。【解決手段】      ＬＥＤ信号機の青信号に黄色信号に変わるまでの残りの時間（秒数）を表示しそれをカウントダウンさせることによりドライバーに切り替りのタイミングを知らせる事が出来、この課題を解決する。【選択図】図２
2012014664.tif 000002
【特許請求の範囲】
【請求項１】
ＬＥＤを使用した信号機の青信号の個々のＬＥＤに番号を持たせ、ＬＥＤをＯＮ−ＯＦＦする事によりＯＦＦになったＬＥＤが黒い数字として青信号に残りの時間（秒数）を表示させる事を特徴とする予告信号機
【請求項２】
ＬＥＤを使用した信号機の青信号にタイマーを連動させて、青信号が黄色信号に変わる時間（秒数）をカウントダウンさせることを特徴とする予告信号機
【発明の詳細な説明】
【技術の分野】
【０００１】  本発明は、信号機に関するものであり、信号機の青信号部分に工夫を加える事によって、青信号が黄色信号に変わるタイミングをドライバーに事前に判断させる事が出来るようにしたものである。
【背景技術】
【０００２】  前方の信号が青信号から黄色信号に変わる事をドライバーが判断する手段として主に歩行者用信号機の青信号の点滅でしか判断する事が出来ない。
【発明の開示】
【発明が解決しようとする課題】
【０００３】  しかし、歩行者用信号機が無い信号機や障害物等で歩行者用信号機が見づらい信号機では事前に判断する事が出来ず、黄色信号に変わった時に止まるか渡りきるかの判断を各々のドライバーが瞬時に行わなければならず、交通事故の主な原因にもなっている。このような危険を解決することを課題とする。
【課題を解決するための手段】
【０００４】  この課題を解決するための請求項１の発明は、ＬＥＤを使用した信号機の青信号の個々のＬＥＤに番号を持たせ、ＬＥＤをＯＮ−ＯＦＦする事によりＯＦＦになったＬＥＤが黒い数字として青信号に残りの時間（秒数）を表示させる事を特徴とする、予告信号機である。これにより、ドライバーに残りの秒数を認識させることが出来る。【０００５】  また、請求項２の発明は、ＬＥＤを使用した信号機の青信号にタイマーを連動させて、青信号が黄色信号に変わる時間（秒数）をカウントダウンさせることを特徴とする予告信号機である。これにより、ドライバーに青信号が黄色信号に変わる残りの時間（秒数）を知らせる事が出来るため、ドライバーが止まるが渡りきるがの判断を余裕を持って行う事が出来る。
【発明の効果】
【０００６】  本発明により、青信号が黄色信号に変わるタイミングをドライバーに知らせる事ができ、止まるか渡りきるかの判断を猶予を持って行えるため、躊躇や判断ミスによる交通事故を大幅に減少させる事が出来る。
【発明を実施するための最良の形態】
【０００７】  図１は、ＬＥＤを使用した信号機の青信号の個々のＬＥＤに番号を持たせ、ＬＥＤをＯＮ−ＯＦＦする事によりＯＦＦになったＬＥＤが黒い数字として青信号に残りの時間（秒数）を表示させる事を特徴とする予告信号機の図である。【０００８】  図２は、ＬＥＤを使用した信号機の青信号にタイマーを連動させて、青信号が黄色信号に変わる時間（秒数）をカウントダウンさせることを特徴とする予告信号機の図である。
同図のように、たとえば、１桁である９秒からカウントダウンさせればドライバーに９秒間の判断の猶予を与える事が出来る。【０００９】  ドライバーへの視覚が保たれるならば、青信号機に表示する数字の部分を点灯し、青信号のそれ以外の箇所を消灯して表示する方法でも良い。
【産業上の利用可能性】
【００１０】  本発明の信号機は交通事故を大幅に減らす可能性を有する。
【図面の簡単な説明】
【００１１】
【図１】  ＬＥＤを使用した信号機の青信号の個々のＬＥＤに番号を持たせ、ＬＥＤをＯＮ−ＯＦＦする事によりＯＦＦになったＬＥＤが黒い数字として青信号に残りの時間（秒数）を表示させる事を特徴とする予告信号機の図である。
【図２】  ＬＥＤを使用した信号機の青信号にタイマーを連動させて、青信号が黄色信号に変わる時間（秒数）をカウントダウンさせることを特徴とする予告信号機の図である。
【符号の説明】
【００１２】  １  横軸Ｘの左端より順にＸ１、Ｘ２‥のように番号を持たせ、また縦軸Ｙには最上部からＹ１、Ｙ２‥のように番号を持たせる。表示させたい数字にあたる横軸Ｘと縦軸Ｙの交わるＬＥＤをＯＦＦする事により黒い数字として青信号に残りの時間（秒数）を表示させた青信号部分
２  通常の青信号点灯
３  青信号が黄色信号に変わる９秒前の表示
４  青信号が黄色信号に変わる８秒前の表示
５  青信号が黄色信号に変わる７秒前の表示
６  青信号が黄色信号に変わる６秒前の表示
７  青信号が黄色信号に変わる５秒前の表示
８  青信号が黄色信号に変わる４秒前の表示
９  青信号が黄色信号に変わる３秒前の表示
１０  青信号が黄色信号に変わる２秒前の表示
１１  青信号が黄色信号に変わる１秒前の表示
１２  黄色信号の点灯
１３  赤信号の点灯
【図１】
2012014664.tif 000003
【図２】
2012014664.tif 000004